(57)【要約】【課題】クリップを留め付け対象物の貫通孔に挿通しきった状態を、目視以外の方法で明確に認識させるようにする。【解決手段】脚部２に前記挿通を弾性変形により許容すると共に貫通孔Ｐａから抜け出したときに弾性復帰して前記頭部１との間で留め付け対象物Ｐを挟持する弾性係合片３を多段状に備えてなるクリップ体Ｃ’と、貫通孔Ｐａに挿通可能な挿通部７とを備えると共にクリップ体Ｃ’の脚部２を挿通可能とする中空のスペーサー体Ｓとからなる。スペーサー体Ｓの挿通部７の側部には、クリップ体Ｃ’の弾性係合片３が突きだされる開放部７ａが形成されていると共に、クリップ体Ｃ’には、前記貫通孔Ｐａに脚部２を挿通しきった位置でスペーサー体Ｓに形成された被係合部８に係合される節度感創出係合部４が備えられている。【選択図】図５
2012225431.tif 000002
【特許請求の範囲】
【請求項１】
留め付け対象物に形成された貫通孔に入り込まない大きさの頭部と、この貫通孔に挿通可能な脚部とを備え、この脚部に前記挿通を弾性変形により許容すると共に前記貫通孔から抜け出したときに弾性復帰して前記頭部との間で留め付け対象物を挟持する弾性係合片を前記挿通方向において多段状に備えてなるクリップであって、
前記脚部の脚軸を巡る方向において、前記弾性係合片の形成箇所と異なる位置に、前記貫通孔に脚部を挿通しきった位置で前記留め付け対象物側に係合される節度感創出係合部が備えられていることを特徴とするクリップ。
【請求項２】
留め付け対象物に形成された貫通孔に入り込まない大きさの頭部と、この貫通孔に挿通可能な脚部とを備え、この脚部に前記挿通を弾性変形により許容すると共に前記貫通孔から抜け出したときに弾性復帰して前記頭部との間で留め付け対象物を挟持する弾性係合片を前記挿通方向において多段状に備えてなるクリップ体と、
前記貫通孔に入り込まない大きさの基部と、この貫通孔に挿通可能な挿通部とを備えると共に、前記基部側から前記クリップ体の脚部を挿通可能とする中空のスペーサー体とからなるクリップであって、
前記スペーサー体の挿通部の側部には、前記クリップ体の弾性係合片が突きだされる開放部が形成されていると共に、
前記クリップ体には、前記貫通孔に脚部を挿通しきった位置で前記スペーサー体に形成された被係合部に係合される節度感創出係合部が備えられていることを特徴とするクリップ。
【請求項３】
節度感創出係合部は、クリップ体の脚部の脚軸を巡る方向において、弾性係合片の形成箇所と異なる位置に備えられていることを特徴とする請求項２に記載のクリップ。
【請求項４】
クリップ体の脚部の脚端側に、この脚部をスペーサー体の挿通部に所定位置まで挿通させた状態において、節度感創出係合部との間でこのスペーサー体を上下に挟み込む係合爪が形成されていることを特徴とする請求項２又は請求項３に記載のクリップ。
【請求項５】
弾性係合片は、その突きだし端に向かうに連れて頭部側に近づくように、脚部から斜めに突き出されていることを特徴とする請求項２〜請求項４のいずれか１項に記載のクリップ。
【発明の詳細な説明】
【技術分野】
【０００１】
この発明は、留め付け対象物に形成された貫通孔にクリップを構成する脚部を挿入することで、これに備えられた弾性係合片と頭部との間で留め付け対象物を挟持して、かかる留め付け対象物に留め付けられるクリップの改良に関する。
【背景技術】
【０００２】
頭部と、取付孔に挿入可能な支柱とを有すると共に、この支柱に挿入方向に多段状をなす弾性変形可能な羽根部を備えてなるクリップがある。（特許文献１参照）かかるクリップにあっては、前記取付孔への支柱の挿入を羽根部の弾性変形により可能とし、また、かかる取付穴から抜け出した箇所にある羽根部の弾性復帰によりこの羽根部と頭部との間でかかる取付孔を備えたパネルを前後から挟んでこれに留め付くようになっている。したがって、かかるクリップは、単一のクリップをもって板厚の異なる複数のパネルの留め付けに使用できるものである。しかしながら、かかるクリップにあっては、取付孔に支柱を挿入させきったかどうか、つまり、頭部がパネルに押し当てられる位置まで取付孔に支柱が挿入されたかどうかを、目視以外の方法では作業者に明確に認識させ難いものであった。
【先行技術文献】
【特許文献】
【０００３】
【特許文献１】特許第４１２５８０８号公報
【発明の概要】
【発明が解決しようとする課題】
【０００４】
この発明が解決しようとする主たる問題点は、この種のクリップを留め付け対象物の貫通孔に挿通しきった状態を、目視以外の方法で明確に認識させるようにする点にある。
【課題を解決するための手段】
【０００５】
前記課題を達成するために、この発明にあっては、第一の観点から、クリップを、留め付け対象物に形成された貫通孔に入り込まない大きさの頭部と、この貫通孔に挿通可能な脚部とを備え、この脚部に前記挿通を弾性変形により許容すると共に前記貫通孔から抜け出したときに弾性復帰して前記頭部との間で留め付け対象物を挟持する弾性係合片を前記挿通方向において多段状に備えてなるクリップであって、
前記脚部の脚軸を巡る方向において、前記弾性係合片の形成箇所と異なる位置に、前記貫通孔に脚部を挿通しきった位置で前記留め付け対象物側に係合される節度感創出係合部が備えられているものとした。
【０００６】
かかるクリップは、前記多段状をなす弾性係合片のうち、前記脚部の挿入により貫通孔から抜け出した弾性係合片を弾性復帰させてこれと頭部との間で留め付け対象物を挟持することから、単一のクリップをもって厚さの異なる複数種類の留め付け対象物の留め付けに利用することができる。また、かかる貫通孔に脚部を挿通しきった位置、つまり、前記頭部をこの挿入の手前側において留め付け対象物に当接させる位置において、節度感創出係合部を留め付け対象物側に係合させることができることから、頭部といずれかの弾性係合片とで留め付け対象物を適切に挟み付ける位置まで貫通孔に脚部を挿通しきったか否かを、かかる挿通の作業者に認識させることができる。
【０００７】
また、前記課題を達成するために、この発明にあっては、第二の観点から、クリップを、留め付け対象物に形成された貫通孔に入り込まない大きさの頭部と、この貫通孔に挿通可能な脚部とを備え、この脚部に前記挿通を弾性変形により許容すると共に前記貫通孔から抜け出したときに弾性復帰して前記頭部との間で留め付け対象物を挟持する弾性係合片を前記挿通方向において多段状に備えてなるクリップ体と、
前記貫通孔に入り込まない大きさの基部と、この貫通孔に挿通可能な挿通部とを備えると共に、前記基部側から前記クリップ体の脚部を挿通可能とする中空のスペーサー体とからなるクリップであって、
前記スペーサー体の挿通部の側部には、前記クリップ体の弾性係合片が突きだされる開放部が形成されていると共に、
前記クリップ体には、前記貫通孔に脚部を挿通しきった位置で前記スペーサー体に形成された被係合部に係合される節度感創出係合部が備えられているものとした。
【０００８】
かかるクリップ体とスペーサー体とから構成されるクリップにあっては、スペーサー体の開放部を通じて、前記多段状をなす弾性係合片のうち前記脚部の挿入により貫通孔から抜け出した弾性係合片を弾性復帰させてこれと頭部との間で留め付け対象物を挟持させることができる。したがって、単一のクリップをもって厚さの異なる複数種類の留め付け対象物の留め付けに利用することができる。また、かかる貫通孔に脚部を挿通しきった位置、つまり、前記頭部をこの挿入の手前側において留め付け対象物に当接させる位置において、節度感創出係合部をスペーサー体の被係合部に係合させることができることから、頭部といずれかの弾性係合片とで留め付け対象物を適切に挟み付ける位置まで貫通孔に脚部を挿通しきったか否かを、かかる挿通の作業者に認識させることができる。
【０００９】
前記節度感創出係合部は、クリップ体の脚部の脚軸を巡る方向において、弾性係合片の形成箇所と異なる位置に備えさせておくことが、好ましい態様の一つとされる。
【００１０】
前記クリップ体の脚部の脚端側に、この脚部をスペーサー体の挿通部に所定位置まで挿通させた状態において、節度感創出係合部との間でこのスペーサー体を上下に挟み込む係合爪を形成させておけば、クリップ体とスペーサー体とを留め付け対象物の貫通孔に挿通する前の状態において仮組することができる。
【００１１】
前記弾性係合片を、その突きだし端に向かうに連れて頭部側に近づくように、脚部から斜めに突き出されるようにしておけば、前記貫通孔への脚部の挿入時には弾性係合片を変形し易くできる一方、この貫通孔から抜け出す方向への脚部の移動を貫通孔から抜け出し弾性復帰している弾性係合片により有効に阻止することができる。
【発明の効果】
【００１２】
この発明によればクリップを留め付け対象物の貫通孔に挿通しきった状態を、留め付け作業の作業者に、節度感創出係合部により生じる節度感（いわゆるクリック感、あるいは操作感）により明確に認識させることができる。
【図面の簡単な説明】
【００１３】
【図１】図１は実施の形態にかかるクリップの斜視図である。
【図２】図２は図１に示されるクリップをクリップ体として、これとスペーサー体とから構成されるクリップの斜視図である。
【図３】図３は図２のクリップを図２と異なる向きから見て示した斜視図である。
【図４】図４は図２のクリップを留め付け対象物の貫通孔に挿通する直前の状態を示した断面図であり、図４の（ａ）図に対して図４の（ｂ）図は９０度異なる位置でかかるクリップを断面にして示している。
【図５】図５は図２のクリップを留め付け対象物の貫通孔に挿通しきった状態を示した断面図であり、図５の（ａ）図に対して図５の（ｂ）図は９０度異なる位置でかかるクリップを断面にして示している。
【発明を実施するための形態】
【００１４】
以下、図１〜図５に基づいて、この発明の典型的な実施の形態について、説明する。この実施の形態にかかるクリップＣは、留め付け対象物Ｐに形成された貫通孔Ｐａにこれを構成する脚部２を挿入することで、これに備えられた弾性係合片３と頭部１との間で留め付け対象物Ｐを挟持して、かかる留め付け対象物Ｐに留め付けられるものである。
【００１５】
かかるクリップＣは、典型的には、前記貫通孔Ｐａをそれぞれ備えた留め付け対象物Ｐとしての二枚のパネルＰ’、Ｐ’を、クリップＣを介して留め付け合わせるために用いられる。（図４）かかる場合には、かかる二枚のパネルＰ’、Ｐ’をそれぞれの貫通孔Ｐａを連通させるように重ね合わせた状態から連通された貫通孔Ｐａに前記脚部２を挿入することで前記弾性係合片３と頭部１との間で二枚のパネルＰ’、Ｐ’を挟持して、クリップＣによるかかる二枚のパネルＰ’、Ｐ’の留め付けがなされる。
【００１６】
かかるクリップＣは、前記留め付け対象物Ｐに形成された貫通孔Ｐａに入り込まない大きさの頭部１と、この貫通孔Ｐａに挿通可能な脚部２とを備える。この脚部２には前記挿通を弾性変形により許容すると共に前記貫通孔Ｐａから抜け出したときに弾性復帰して前記頭部１との間で留め付け対象物Ｐを挟持する弾性係合片３が前記挿通方向において多段状に備えられている。また、前記脚部２には、この脚部２の脚軸を巡る方向において、前記弾性係合片３の形成箇所と異なる位置に、前記貫通孔Ｐａに脚部２を挿通しきった位置で前記留め付け対象物Ｐ側に係合される節度感創出係合部４が備えられている。
【００１７】
図示の例では、前記頭部１は、円形の傘状を呈している。この頭部１の湾曲内側に前記脚部２の一端が一体に連接されている。脚部２は、その脚軸に直交する向きの断面外郭形状を略長方形状としている。したがって、かかる脚部２は、二箇所の幅狭の側面２ａ、２ａと二箇所の幅広の側面２ｂ、２ｂとを有している。また、前記頭部１の外縁と、脚部２の外面との間には、前記脚軸の全周において、間隔が形成されている。これにより、脚部２の前記断面外郭形状に孔形状を倣わせると共に、この脚部２を隙間少なく挿通可能とする貫通孔Ｐａにこの脚部２を挿通すると、この挿通の手前側において頭部１が引っかかり留め付け対象物Ｐに当接されるようになっている。
【００１８】
前記弾性係合片３は、脚部２の二箇所の幅広の側面２ｂ、２ｂにそれぞれ形成されている。図示の例では、多段状をなす弾性係合片３はそれぞれ、略長方形の板状をなすように形成されている。弾性係合片３は、その長さ方向に沿った一辺部を幅広の側面２ｂの左右に沿わせるようにしてこの幅広の側面２ｂに一体に連接させて、この幅広の側面２ｂから外側に突き出されている。図示の例では、脚部２の二箇所の幅広の側面２ｂ、２ｂにそれぞれ、５段に弾性係合片３が形成されている。隣り合う弾性係合片３間には、各段間において、略等しい間隔が開けられている。また、各弾性係合片３は、その長さ方向に沿った他辺部、つまり、突きだし端３ａに向かうに連れて頭部１側に近づくように、脚部２から斜めに突き出されている。脚部２の二箇所の幅広の側面２ｂの一方に形成されている弾性係合片３の突きだし端３ａと脚部２の二箇所の幅広の側面２ｂの一方に形成されている弾性係合片３の突きだし端３ａとの間の距離は、この幅広の側面２ｂの一方が向き合う貫通孔Ｐａの孔縁とこの幅広の側面２ｂの他方が向き合う貫通孔Ｐａの孔縁との間の距離よりもやや大きくなっている。
【００１９】
一方、前記節度感創出係合部４は、前記脚部２の二箇所の幅狭の側面２ａ、２ａにそれぞれ形成されている。図示の例では、節度感創出係合部４は、前記頭部１近傍に自由端５ａを位置させる前記脚軸に沿って延びる弾性片５の表側に形成されている。
【００２０】
図示の例では、節度感創出係合部４は、二箇所の幅狭の側面２ａ、２ａの一方と二箇所の幅広の側面２ｂ、２ｂの一方とが接し合う隅部２ｃに偏った位置と、二箇所の幅狭の側面２ａ、２ａの他方と二箇所の幅広の側面２ｂ、２ｂの他方とが接し合う隅部２ｃに偏った位置とにそれぞれ形成されている。幅狭の側面２ａには、前記隅部２ｃとの間に弾性片５の幅分の間隔を開けて形成される第一縦割溝５ｂと、この第一縦割溝５ｂの上端と前記隅部２ｃとの間に亘る横割溝５ｃとが形成されると共に、前記幅広の側面２ｂには前記隅部２ｃ近傍において前記第一縦割溝５ｂと同じ長さの第二縦割溝５ｄが同じレベルに形成され、この第二縦割溝５ｄの上端は前記横割溝５ｃに連通している。また、かかる第二縦割溝５ｄは第一縦割溝５ｂの溝底に至る深さを有している。図示の例では、かかる第一及び第二縦割溝５ｂ、５ｄと横割溝５ｃとにより前記弾性片５を形成させると共に、この弾性片５の裏側にこの弾性片５の変形用隙間５ｅを形成させている。
【００２１】
節度感創出係合部４は、前記弾性片５の表側に隆起された山状を呈し、その頂部４ａを挟んだ前記頭部１側を係合面４ｂとし、この頂部４ａと前記弾性片５の基部との間をスロープ面４ｃとしている。図示の例では、節度感創出係合部４の係合面４ｂは、多段状をなす弾性係合片３の最上段の弾性係合片３の突きだし端３ａよりも下方に位置している。
【００２２】
かかるクリップＣは、前記多段状をなす弾性係合片３３のうち、前記脚部２の挿入により貫通孔Ｐａから抜け出した弾性係合片３を弾性復帰させてこれと頭部１との間で留め付け対象物Ｐを挟持することから、単一のクリップＣをもって厚さの異なる複数種類の留め付け対象物Ｐの留め付けに利用することができる。かかる弾性係合片３は、その突きだし端３ａに向かうに連れて頭部１側に近づくように、脚部２から斜めに突き出されていることから、前記挿入時には変形し易い一方、貫通孔Ｐａから抜け出す方向への脚部２の移動を有効に阻止する。また、かかる貫通孔Ｐａに脚部２を挿通しきった位置、つまり、前記頭部１をこの挿入の手前側において留め付け対象物Ｐに当接させる位置において、節度感創出係合部４を留め付け対象物Ｐ側に係合させることができることから、頭部１といずれかの弾性係合片３とで留め付け対象物Ｐを適切に挟み付ける位置まで貫通孔Ｐａに脚部２を挿通しきったか否かを、かかる挿通の作業者に認識させることができる。すなわち、この節度感創出係合部４の係合がなされた感覚が生じない場合には、前記位置まで脚部２が挿通されていないことを作業者に認識させることができる。図示の例では、頭部１と節度感創出係合部４の係合面４ｂとの間の距離よりも厚さを小さくする留め付け対象物Ｐの貫通孔Ｐａに脚部２を挿通する過程で前記スロープ面４ｃを留め付け対象物Ｐ側に当接させて前記弾性片５を内側に一旦撓み込ませ、この後、かかる挿通をしきって節度感創出係合部４の頂部４ａが貫通孔Ｐａから抜け出した位置で弾性片５を撓み戻させて前記係合面４ｂを前記挿通先側の貫通孔Ｐａの孔縁に係合させるようにすることができる。
【００２３】
図２〜図５は、以上に説明したクリップＣをクリップ体Ｃ’として、このクリップ体Ｃ’と、これに組み合わされるスペーサー体Ｓとの二つのパーツからクリップＣを構成させた例を示している。
【００２４】
かかるスペーサー体Ｓは、前記貫通孔Ｐａに入り込まない大きさの基部６と、この貫通孔Ｐａに挿通可能な挿通部７とを備える。それと共に、前記基部６側から前記クリップ体Ｃ’の脚部２を挿通可能とする中空体として構成されている。また、かかるスペーサー体Ｓの挿通部７の側部には、前記クリップ体Ｃ’の弾性係合片３が突きだされる開放部７ａが形成されている。
【００２５】
図示の例では、かかるスペーサー体Ｓの前記挿通部７は、その挿通方向に直交する向きの断面外郭形状を、孔形状を略長方形状とする貫通孔Ｐａのこの孔形状に倣った形状としている。すなわち、スペーサー体Ｓの挿通部７は、二箇所の幅側側部７ｂ、７ｂと二箇所の長さ側側部７ｃ、７ｃとを有している。二箇所の長さ側側部７ｃ、７ｃは、その縁部を除いて開放されて、この長さ側側部７ｃには方形の窓状をなす前記開放部７ａが形成されている。また、スペーサー体Ｓの上下はそれぞれ方形の開口部７ｄが形成されている。前記基部６は、スペーサー体Ｓの一方の開口部７ｄと開放部７ａとの間となる箇所において、前記長さ側側部７ｃから外方に張り出す鍔部６ａにより構成されている。
【００２６】
かかるスペーサー体Ｓの一対の幅側側部７ｂ、７ｂの内面間の距離は、前記クリップ体Ｃ’の二箇所の幅狭の側面２ａ、２ａに形成された節度感創出係合部４の頂部４ａ間の距離よりもやや小さくなっている。それと共に、かかるスペーサー体Ｓの一対の幅側側部７ｂ、７ｂにはそれぞれ、前記貫通孔Ｐａにクリップ体Ｃ’の脚部２を挿通しきった位置で前記節度感創出係合部４に係合される被係合部８が形成されている。図示の例では、かかる被係合部８は、スペーサー体Ｓの幅側側部７ｂを内外に貫通する貫通孔として構成されている。
【００２７】
また、この実施の形態にあっては、クリップ体Ｃ’の脚部２の脚端側に、この脚部２をスペーサー体Ｓの挿通部７に所定位置まで挿通させた状態において、節度感創出係合部４との間でこのスペーサー体Ｓを上下に挟み込む係合爪９が形成されている。図示の例では、クリップ体Ｃ’の脚部２における二箇所の幅狭の側面２ａ、２ａにそれぞれ、この側面２ａから突き出す前記係合爪９が形成されている。そして、この係合爪９と前記節度感創出係合部４の頂部４ａとの間の距離が、スペーサー体Ｓの二箇所の開口部７ｄ、７ｄ間の距離と略一致するようになっている。二箇所の係合爪９、９間の距離はスペーサー体Ｓの一対の幅側側部７ｂ、７ｂの内面間の距離よりもやや大きくなっている。
【００２８】
スペーサー体Ｓの二箇所の幅側側部７ｂ、７ｂ間の距離は、クリップ体Ｃ’の脚部２の二箇所の幅狭の側面２ａ、２ａ間の距離と略等しくなっており、クリップ体Ｃ’の脚部２のスペーサー体Ｓの挿通部７への挿通は、この幅側側部７ｂと幅狭の側面２ａに向き合わせる向きでスペーサー体Ｓの基部６側の開口部７ｄからクリップ体Ｃ’の脚部２の脚端側を先にしてこの脚部２をスペーサー体Ｓ内に入れ込むことでなされる。そしてこの挿通は、前記係合爪９の当接によって主としてスペーサー体Ｓの一対の幅側側部７ｂ、７ｂの内面間の距離を弾性変形によりやや広げることで許容されるようになっている。クリップ体Ｃ’の脚部２の係合爪９がスペーサー体Ｓの挿通部７から抜け出す位置まで前記挿通がなされると、スペーサー体Ｓが弾性復帰にして係合爪９と節度感創出係合部４との間でスペーサー体Ｓを上下に挟み込まれる。これにより、この実施の形態にあっては、クリップ体Ｃ’とスペーサー体Ｓとを留め付け対象物Ｐの貫通孔Ｐａに挿通する前の状態において仮組できるようになっている。この仮組状態において、クリップ体Ｃ’の弾性係合片３の一部はスペーサー体Ｓの開放部７ａから外側に突き出し、また、クリップ体Ｃ’の頭部１側に位置される弾性係合片３の一部はスペーサー体Ｓの基部６側の開口部７ｄ内に弾性変形された状態で位置される。（図４）
【００２９】
かかるクリップ体Ｃ’とスペーサー体Ｓとから構成されるクリップＣにあっては、スペーサー体Ｓの開放部７ａを通じて、前記多段状をなす弾性係合片３のうち前記脚部２の挿入により貫通孔Ｐａから抜け出した弾性係合片３を弾性復帰させてこれと頭部１との間で留め付け対象物Ｐを挟持させることができる。したがって、単一のクリップＣをもって厚さの異なる複数種類の留め付け対象物Ｐの留め付けに利用することができる。また、かかる貫通孔Ｐａに脚部２を挿通しきった位置、つまり、前記頭部１をこの挿入の手前側において留め付け対象物Ｐに当接させる位置において、節度感創出係合部４をスペーサー体Ｓの被係合部８に係合させることができることから、頭部１といずれかの弾性係合片３とで留め付け対象物Ｐを適切に挟み付ける位置まで貫通孔Ｐａに脚部２を挿通しきったか否かを、かかる挿通の作業者に認識させることができる。図示の例では、前記仮組状態から留め付け対象物Ｐの貫通孔Ｐａにスペーサー体Ｓの挿通部７を挿通させた後、この貫通孔Ｐａに脚部２を挿通しきる過程において、節度感創出係合部４の前記スロープ面４ｃをスペーサー体Ｓの幅側側部７ｂの内面に当接させて前記弾性片５を内側に一旦撓み込ませ、この後、かかる挿通をしきって節度感創出係合部４の頂部４ａが被係合部８に入り込む位置で弾性片５を撓み戻させてこの被係合部８に節度感創出係合部４を入り込ませ係合させるようになっている。（図５）
【００３０】
以上に説明したクリップＣにおける弾性変形特性を備えるべき箇所へのこの特性の付与は、かかるクリップＣを合成樹脂の成形品とすることで、容易に確保することができる。
【符号の説明】
【００３１】
Ｐ  留め付け対象物
Ｐａ  貫通孔
Ｃ’クリップ体
Ｓ  スペーサー体
１  頭部
２  脚部
３  弾性係合片
７  挿通部
８  被係合部
【図１】
2012225431.tif 000003
【図２】
2012225431.tif 000004
【図３】
2012225431.tif 000005
【図４】
2012225431.tif 000006
【図５】
2012225431.tif 000007